(57)【要約】  吊り下げ式商品棚は、棚支持枠（１）と、棚支持枠（１）に着脱可能に取り付けられる棚板（２）と、を含み、棚板（２）は、取付けブラケット（２５）と、取付けブラケット（２５）の上方に配置された重量感知装置（２６）と、重量感知装置（２６）の上方に配置された吊り下げブラケットベース（２７）と、一端が吊り下げブラケットベース（２７）に着脱可能に取り付けられる吊り下げブラケット（２８）と、を含む。各吊り下げブラケットの重量変化をリアルタイムで感知し、データ処理機器（４）と組み合わせることで、商品棚にあるすべての吊り下げブラケット（２８）の重量変化から、どの商品が取り出されたか、又は戻されたかを推断することができる。
2021511921.tif 000002
【特許請求の範囲】
【請求項１】
吊り下げ式商品棚であって、
棚支持枠と、
前記棚支持枠に着脱可能に取り付けられる棚板と、
を含み、
前記棚板は、
取付けブラケットと、
前記取付けブラケットの上方に配置された重量感知装置と、
前記重量感知装置の上方に配置された吊り下げブラケットベースと、
一端が前記吊り下げブラケットベースに着脱可能に取り付けられる吊り下げブラケットと、
を含むことを特徴とする吊り下げ式商品棚。
【請求項２】
前記棚板は、
垂直取付け板と、
前記垂直取付け板の縁部から突出した止め板と、
前記垂直取付け板及び２つ以上の止め板で囲まれる取付け板キャビティと、
をさらに含むことを特徴とする請求項１に記載の吊り下げ式商品棚。
【請求項３】
前記棚板は、
前記垂直取付け板を貫通し、かつ吊り下げブラケットベースに対向して配置された取付け板貫通孔をさらに含み、
吊り下げブラケットの一端が取付け板貫通孔を通過して吊り下げブラケットベースに着脱可能に取り付けられる、ことを特徴とする請求項２に記載の吊り下げ式商品棚。
【請求項４】
前記棚板は、
前記垂直取付け板を貫通し、且つ前記取付け板貫通孔の周りに位置する取付け板係合口をさらに含む、ことを特徴とする請求項３に記載の吊り下げ式商品棚。
【請求項５】
前記棚板は、
前記取付け板キャビティ内に配置された回路基板取付けスロットと、
前記回路基板取付けスロット内に着脱可能に取り付けられる回路基板と、
をさらに含み、
前記回路基板には、サーバーに接続された通信インタフェースが設けられ、
前記重量感知装置は、導線を介して前記回路基板に接続され、前記通信インタフェースを介して、リアルタイムの感知データを前記サーバーに伝送する、ことを特徴とする請求項２に記載の吊り下げ式商品棚。
【請求項６】
前記取付けブラケットは、前記取付け板キャビティ内に固定して取り付けられ、
前記取付けブラケットの両端は、互いに対向する２つの止め板にそれぞれ接続される、ことを特徴とする請求項２に記載の吊り下げ式商品棚。
【請求項７】
前記重量感知装置の一端の底面は、前記取付けブラケットに接続され、他端の底面と前記取付けブラケットとの間に隙間がある、ことを特徴とする請求項１に記載の吊り下げ式商品棚。
【請求項８】
前記棚板は、
前記重量感知装置の一端の底面と前記取付けブラケットの上面との間に配置されたガスケットをさらに含む、ことを特徴とする請求項７に記載の吊り下げ式商品棚。
【請求項９】
前記吊り下げブラケットベースは、
ベース本体と、
前記ベース本体の上部に凹設されたブラケット係合溝と、
を含み、
前記吊り下げブラケットは、
吊り棒と、
前記吊り棒の一端に設けられ、かつ前記ブラケット係合溝に着脱可能に係合されるブラケット係合具と、
を含むことを特徴とする請求項１に記載の吊り下げ式商品棚。
【請求項１０】
前記ブラケット係合具は、
前記ブラケット係合溝に挿入する第１係合板と、
前記第１係合板と平行し、かつ前記吊り棒に固定接続される第２係合板と、
一端が前記第１係合板に接続され、他端が前記第２係合板に接続される接続板と、
を含むことを特徴とする請求項９に記載の吊り下げ式商品棚。
【請求項１１】
前記垂直取付け板に着脱可能に取り付けられる第２吊り下げブラケットをさらに含む、ことを特徴とする請求項２に記載の吊り下げ式商品棚。
【請求項１２】
前記垂直取付け板に着脱可能に取り付けられる第２吊り下げブラケットをさらに含み、
前記第２吊り下げブラケットは、
第２吊り棒と、
前記第２吊り棒の一端に配置され、かつ取付け板貫通孔に対向して配置された第２止め板と、
前記第２止め板における前記取付け板貫通孔を向いている側の表面から突出し、取付け板係合口に着脱可能に取り付けられる第２ブラケット係合具と、
前記第２止め板を貫通した第２止め板貫通孔と、
を含み、
前記第２ブラケット係合具が前記取付け板係合口内に係合されると、前記吊り下げブラケットの吊り棒は前記第２止め板貫通孔を通過する、ことを特徴とする請求項３に記載の吊り下げ式商品棚。
【請求項１３】
前記第２吊り下げブラケットは、
前記第２吊り棒の前記第２止め板から離れた一端に垂直に接続される横棒と、
前記横棒に回転可能に又は固定的に取り付けられる標識板と、
をさらに含むことを特徴とする請求項１２に記載の吊り下げ式商品棚。
【請求項１４】
前記棚支持枠は、
垂直に配置された長手形状の直方体である支持枠本体と、
前記支持枠本体の一方の側壁に凹設され均一に分布している少なくとも１つの支持枠係合口と、
を含み、
前記棚板は、
前記垂直取付け板の一端の縁部に配置され、前記支持枠係合口に着脱可能に係合される少なくとも１つの係合爪を含む、
ことを特徴とする請求項２に記載の吊り下げ式商品棚。
【請求項１５】
前記棚支持枠は、
両端がそれぞれ２つの支持枠本体の上端に着脱可能に接続される第１接続部品及び／又は、
両端がそれぞれ２つの支持枠本体の末端に着脱可能に接続される第２接続部品及び／又は、
両端がそれぞれ２つの支持枠本体に着脱可能に接続される少なくとも１つの接続板を含む、
ことを特徴とする請求項１４に記載の吊り下げ式商品棚。
【発明の詳細な説明】
【技術分野】
【０００１】
本発明は、小売業向けの商品保管装置に関し、具体的には、吊り下げ式商品式棚に関する。
【背景技術】
【０００２】
従来の小売業の買い物スタイルでは、スーパーやコンビニエンスストアごとに専門の販売員や現金取扱員が必要であり、人件費が高い。電子決済技術、身分識別技術、及びクラウドコンピューティング技術の発展に伴い、無人スーパープロジェクトは技術的に高い実行可能性を持っている。無人スーパープロジェクトでは、ユーザーが商品を選択し購入するときの判断及び記録の問題を早急に解決する必要がる。具体的には、サーバーは、ユーザーがどの商品を選択したか、どの商品を戻したか、スーパーからどの商品を持ち帰ったかを正確に判定する必要がある。
【０００３】
従来技術では、カメラ技術を採用して、ユーザーが選択し購入した商品を識別する人がいるが、この方式で計算するデータ量が比較的大きく、データ処理コストが比較的高く、商品の識別誤差が比較的大きいため、ユーザーがカメラを欺く現象が発生し、商品の紛失を招く可能性がある。スーパー又はコンビニエンスストアの出入り口にＲＦＩＤリーダーを設置することで、ユーザーが選択し購入する商品を識別する人もいる。この方式は、各商品にＲＦＩＤタグを取り付ける必要があり、ハードウェアのコストが比較的高いため、商品の価格が高くなる。また、ユーザーが店を出る前に食べられる商品を食べてから、包装をスーパー内に残す場合、ＲＦＩＤリーダーはユーザーの実際の消費金額を識別及び確定することができず、無人スーパーの経営リスクが大きくなる。
【発明の概要】
【０００４】
本発明の目的は、商品棚に吊り下げられているすべての商品の重量を正確に識別し、商品が商品棚から取り外された否かを重量の変化に基づいて判断することができ、従来技術において商品の識別精度に劣り、誤差が大きく、商品が紛失するという技術的問題を解決することができる吊り下げ式商品棚を提供することである。
【０００５】
上記の目的を実現するために、本発明は吊り下げ式商品棚を提供する。この商品棚は、棚支持枠と、前記棚支持枠に着脱可能に取り付けられる棚板とを含み、前記棚板は、取付けブラケットと、前記取付けブラケットの上方に配置された重量感知装置と、前記重量感知装置の上方に配置された吊り下げブラケットベースと、一端が前記吊り下げブラケットベースに着脱可能に取り付けられる吊り下げブラケットと、を含む。
【０００６】
さらに、異なる実施例では、前記棚板は、垂直取付け板と、前記垂直取付け板の縁部から突出した止め板と、前記垂直取付け板及び２つ以上の止め板で囲まれる取付け板キャビティと、をさらに含む。
【０００７】
さらに、異なる実施例では、前記棚板は、前記垂直取付け板を貫通し、かつ吊り下げブラケットベースに対向して配置された取付け板貫通孔をさらに含み、吊り下げブラケットの一端が取付け板貫通孔を通過して吊り下げブラケットベースに着脱可能に取り付けられる。
【０００８】
さらに、異なる実施例では、前記棚板は、前記垂直取付け板を貫通し、且つ前記取付け板貫通孔の周りに位置する取付け板係合口をさらに含む。
【０００９】
さらに、異なる実施例では、前記棚板は、前記取付け板キャビティ内に配置された回路基板取付けスロットと、前記回路基板取付けスロット内に着脱可能に取り付けられる回路基板と、をさらに含み、前記回路基板には、サーバーに接続された通信インタフェースが設けられ、前記重量感知装置は、導線を介して前記回路基板に接続され、前記通信インタフェースを介して、リアルタイムの感知データを前記サーバーに伝送する。
【００１０】
さらに、異なる実施例では、前記取付けブラケットは、前記取付け板キャビティ内に固定して取り付けられ、前記取付けブラケットの両端は、互いに対向する２つの止め板にそれぞれ接続される。
【００１１】
さらに、異なる実施例では、前記重量感知装置の一端の底面は、前記取付けブラケットに接続され、他端の底面と前記取付けブラケットとの間に隙間がある。
【００１２】
さらに、異なる実施例では、前記棚板は、前記重量感知装置の一端の底面と前記取付けブラケットの上面との間に配置されたガスケットをさらに含む。
【００１３】
さらに、異なる実施例では、前記吊り下げブラケットベースは、ベース本体と、前記ベース本体の上部に凹設されたブラケット係合溝と、を含み、前記吊り下げブラケットは、吊り棒と、前記吊り棒の一端に設けられ、かつ前記ブラケット係合溝に着脱可能に係合されるブラケット係合具と、を含む。
【００１４】
さらに、異なる実施例では、前記ブラケット係合具は、前記ブラケット係合溝に挿入する第１係合板と、前記第１係合板と平行し、かつ前記吊り棒に固定接続される第２係合板と、一端が前記第１係合板に接続され、他端が前記第２係合板に接続される接続板と、を含む。
【００１５】
さらに、異なる実施例では、前記吊り下げ式商品棚は、前記垂直取付け板に着脱可能に取り付けられる第２吊り下げブラケットをさらに含む。
【００１６】
さらに、異なる実施例では、前記吊り下げ式商品棚は、前記垂直取付け板に着脱可能に取り付けられる第２吊り下げブラケットをさらに含み、前記第２吊り下げブラケットは、第２吊り棒と、前記第２吊り棒の一端に配置され、かつ取付け板貫通孔に対向して配置された第２止め板と、前記第２止め板における前記取付け板貫通孔に向いている側の表面から突出し、取付け板係合口に着脱可能に取り付けられる第２ブラケット係合具と、前記第２止め板を貫通した第２止め板貫通孔と、を含み、前記第２ブラケット係合具が前記取付け板係合口内に係合されると、前記吊り下げブラケットの吊り棒は前記第２止め板貫通孔を通過する。
【００１７】
さらに、異なる実施例では、前記第２吊り下げブラケットは、前記第２吊り棒の前記第２止め板から離れた一端に垂直に接続される横棒と、前記横棒に回転可能に又は固定的に取り付けられる標識板と、をさらに含む。
【００１８】
さらに、異なる実施例では、前記棚支持枠は、垂直に配置された長手形状の直方体である支持枠本体と、前記支持枠本体の一方の側壁に凹設され均一に分布している少なくとも１つの支持枠係合口と、をさらに含み、前記棚板は、前記垂直取付け板の一端の縁部に配置され、前記支持枠係合口に着脱可能に係合される少なくとも１つの係合爪を含む。
【００１９】
さらに、異なる実施例では、前記棚支持枠は、両端がそれぞれ２つの支持枠本体の上端に着脱可能に接続される前記第１接続部品、及び／又は、両端がそれぞれ２つの支持枠本体の末端に着脱可能に接続される第２接続部品、及び／又は、両端がそれぞれ２つの支持枠本体に着脱可能に接続される少なくとも１つの接続板をさらに含む。
【００２０】
本発明の利点は次のとおりである。商品を感知できる吊り下げ式商品棚が提供される。この商品棚は、商品重量感知機能を有し、商品棚上の商品のリアルタイムの重量感知値をリアルタイムに監視し、各吊り下げブラケットの重量変化をリアルタイムに感知することができ、データ処理機器と組み合わせることで、商品棚上のすべての吊り下げブラケットの重量変化から、どの商品が取り出されたか、又は戻されたかを推断することができる。各商品の単品の重量値と吊り下げブラケットの番号を組み合わせると、データ処理機器は、取り出されたか又は戻された商品の種類と数量をさらに判断することができる。ユーザーのリアルタイムの位置、及びデータ処理機器に事前に記憶された各商品の吊り下げ位置を組み合わせると、データ処理機器は、商品を取り出したり戻したりしたユーザーの身分をさらに判断することができる。
【図面の簡単な説明】
【００２１】
【図１】本発明の実施例における吊り下げ式商品棚の全体構造模式図である。
【図２】本発明の実施例における吊り下げ式商品棚の側面構造模式図である。
【図３】本発明の実施例おける吊り下げ式商品棚の一方向の分解構造模式図である。
【図４】本発明の実施例における吊り下げ式商品棚の別の方向の分解構造模式図である。
【図５】本発明の実施例に係る棚板の正面構造模式図である。
【図６】本発明の実施例における棚板の背面構造模式図である。
【図７】本発明の実施例におけるデータ処理機器の構造ブロック図である。
【図８】本発明の実施例における吊り下げブラケットと棚板の分解構造模式図である。
【図９】本発明の実施例における第２吊り下げブラケットと棚板の分解構造模式図である。
【発明を実施するための形態】
【００２２】
以下、技術的内容をより明確かつ理解しやすくするために、本明細書の添付の図面を参照して、本発明の好ましい実施例を説明する。本発明は、多くの異なる形態の実施例によって実現することができ、その保護範囲は、本明細書で言及された実施例に限定されない。
【００２３】
添付の図面では、同じ構造の部品は同じ数字番号で表れ、類似の構造又は機能を持つ部品は類似の数字番号で表われる。本発明で言及されている方向用語、例えば、上、下、前、後、左、右、内、外、側面、上部、底部、上端、底端、末端などは、図面中の方向のみであり、本発明を解釈及び説明するためのものに過ぎず、本発明の保護範囲を限定するものではない。
【００２４】
ある部品が他の部品の「上」に「ある」と説明される場合、前記部品は、前記他の部品上に直接配置されてもよいし、中間部品が存在してもよい。前記部品は、前記中間部品上に配置され、前記中間部品は他の部品上に配置される。ある部品が他の部品に「取り付けられる」又は「接続される」と説明される場合、両方は直接「取り付けられる」又は「接続される」と理解されてもよいし、又は一つの部品は中間部品を介して間接的に他の部品に「取り付けられる」又は「接続される」と理解されてもよい。
【００２５】
図１〜４に示すように、本実施例は、吊り下げ式商品棚に関する。この吊り下げ式商品棚は、棚支持枠１及び少なくとも１つの棚板２を含む。棚板２は、棚支持枠１に着脱可能に取り付けられる。棚板２には、外側に延び、商品を吊り下げるための吊り下げブラケット２８が設けられる。
【００２６】
棚支持枠１は、並んで配置された２つの直線形の支持枠本体１１、及び少なくとも１つの支持枠係合口１２を含む。支持枠本体１１は、垂直に配置された長手形状の直方体であり、２つの支持枠本体１１は互いに平行である。各支持枠本体１１の一方の側壁には、該側壁に凹設された少なくとも１つの支持枠係合口１２がそれぞれ設けられる。支持枠係合口１２が２つ以上ある場合、複数の支持枠係合口１２は、枠本体２２の一方の側壁に直線に沿って均一に分布している。好ましくは、２つの支持枠本体１１の支持枠係合口１２は同一平面上に位置する。
【００２７】
棚支持枠１は、第１接続部品１３及び第２接続部品１４をさらに含み、必要に応じて、少なくとも１つの接続板１５を含み得る。第１接続部品１３の両端はそれぞれ２つの支持枠本体１１の上端に着脱可能に接続される。かつ／又は、第２接続部品１４の両端はそれぞれ２つの支持枠本体１１の末端に着脱可能に接続される。かつ／又は、各接続板１５の両端はそれぞれ２つの支持枠本体１１に着脱可能に接続される。接続板１５は、上下に配置された任意の２つの棚板２の間の隙間内に配置されるか、あるいは、１つの棚板２と第１接続部品１３又は第２接続部品１４との間の隙間内に配置される。
【００２８】
複数の棚板２が互いに接続された後、２つの支持枠本体１１の間の空間が充満される場合、接続板１５を取り付ける必要がなくなる。この場合、隣接する２つの棚板２上の２列の吊り下げブラケット２８の間の距離が小さく、長さが小さい商品のみを吊り下げることができる。隣接する２列の吊り下げブラケット２８の間の距離を拡大して、吊り下げブラケット２８に長い商品を吊り下げる必要がある場合、隣接する２つの棚板２の間に１つ又は複数の接続板１５を配置する必要がある。
【００２９】
図５〜６に示すように、棚板２は、垂直取付け板２１、止め板２２及び取付け板キャビティ２３を含む。垂直取付け板２１は、水平面に垂直であり、棚支持枠１に着脱可能に取り付けられる。
【００３０】
垂直取付け板２１は矩形であり、４つの辺の縁部に突出した止め板２２が設けられる。止め板２２は、垂直取付け板２１に垂直であり、４つの止め板２２は、垂直取付け板２１の同じ側に位置する。垂直取付け板２１及び４つの止め板２２は、取付け板キャビティ２３を囲む。
【００３１】
止め板２２には複数の止め板貫通孔２２１が設けられる。複数の棚板２が下から上に順に２つの棚支持枠１の間に取り付けられると、止め板貫通孔２２１によって複数の棚板２又は複数の接続板１５が固定し取り付けられる。
【００３２】
棚板２は、垂直取付け板２１の左端又は右端の縁部に配置された係合接続装置２４をさらに含む。係合接続装置２４は、少なくとも１つの係合爪２４１を含む。各係合爪２４１は、対応する支持枠係合口１２に着脱可能に係合される。
【００３３】
図５〜６に示すように、棚板２は、取付けブラケット２５、重量感知装置２６、吊り下げブラケットベース２７及び吊り下げブラケット２８をさらに含む。
【００３４】
取付けブラケット２５は、直線的で長手形状の部材であり、取付け板キャビティ２３内に水平に固定して取り付けられる。取付けブラケット２５の両端は、互いに対向する左右両側の２つの止め板２２にそれぞれ接続される。
【００３５】
好ましくは、重量感知装置２６は重量センサーであり、取付けブラケット２１の上方に配置される。重量感知装置２６の一端の底面は取付けブラケット２５に接続される。この底面と取付けブラケット２５の上面との間にはガスケット２５１が設けられる。他端の底面と取付けブラケット２５との間に隙間がある。本実施例では、ガスケット２５１は、重量感知装置２６の左側の一端の下方で支点を形成する。重量感知装置２６の中部又は右側の上方にかかる圧力が変化すると、重量感知装置２６は、圧力値の大きさの変化状況を正確に感知することができる。吊り下げブラケットベース２７は、重量感知装置２６の上方に配置される。具体的には、吊り下げブラケットベース２７は、重量感知装置２６の中部及び／又は右側の上方に取り付けられる。
【００３６】
吊り下げブラケットベース２７は、吊り下げブラケット２８を取り付けるために使用され、ベース本体２７１及びブラケット係合溝２７２を含む。ブラケット係合溝２７２は直線状であり、ベース本体２７１の上部に凹設される。
【００３７】
棚板２は、回路基板取付けスロット２９及び回路基板（図示せず）をさらに含む。回路基板取付けスロット２９は、取付け板キャビティ２３内に設けられる。前記回路基板は、回路基板取付けスロット２９内に着脱可能に取り付けられる。回路基板２９上には、データ処理機器４（サーバーが好ましい）に接続された通信インタフェース（図示せず）が設けられる。重量感知装置２６は、導線２６１を介して回路基板２９に接続され、前記通信インタフェースを介して、リアルタイムの感知データをデータ処理機器４に伝送する。
【００３８】
２つの棚支持枠１の後部には、棚板２の内部の各部材を保護するために、吊り下げブラケット２８と反対側に１つ又は複数の蓋板（図示せず）が設けられる。前記蓋板には、１つ又は複数の蓋板貫通孔（図示せず）が設けられ、それらの位置は、前記通信インタフェースの位置に対応する。データ処理機器４は、導線により蓋板貫通孔を通して各通信インタフェースに接続することができ、それにより、各重量感知装置２６に接続されて、各重量感知装置２６によって取得されたリアルタイム重量感知値を取得する。
【００３９】
図７に示すように、データ処理機器４は、好ましくはコンピューター又はサーバーであり、データ記憶ユニット４１、重量値更新ユニット４２、重量差計算ユニット４３、判定ユニット４４、ブラケットマッチングユニット４５及び重量マッチングユニット４６を含む。
【００４０】
データ記憶ユニット４１は、各商品の単品重量値及び各商品に対応する吊り下げブラケットの番号を記憶するために使用される。重量値更新ユニット４２は、各吊り下げブラケット上のすべての商品のリアルタイム重量値を記憶し更新するために使用される。初期状態では、すべての吊り下げブラケットは商品でいっぱいであり、重量値更新ユニット４２は、各吊り下げブラケット上のすべての商品の総重量を記憶する。ユーザーが吊り下げブラケットから商品を取り出したり、吊り下げブラケット上に商品を戻したりする場合、重量感知装置は、その時点における該吊り下げブラケット上のすべての商品のリアルタイムの重量感知値を取得し、重量差計算ユニット４３は、このリアルタイム重量値と、重量値更新ユニット４２内に既存の該吊り下げブラケット上のすべての商品のリアルタイム重量値との重量差値を計算する。判定ユニット４４は、前記重量差値に基づいて、商品を取り出したり戻したりする情報の変化を判断するために使用される。前記重量差値が０未満の場合、商品が取り出されたと判断する。前記重量差値が０未満の場合、ブラケットマッチングユニット４５は、この重量センサーに対応する吊り下げブラケット番号を取得するために使用される。重量マッチングユニット４６は、前記吊り下げブラケット番号に基づいて、前記重量差値の絶対値を、吊り下げブラケット上の各商品の単品重量値とマッチングして、取り出された商品の種類及び数量を判定する。例えば、同じ棚板上の４つの吊り下げブラケットＡ、Ｂ、Ｃ、Ｄにはそれぞれ４種類の商品Ｘ、Ｙ、Ｚ、Ｗが吊り下げられ、対応する単品重量はそれぞれ５０グラム、８０グラム、１００グラム、１６０グラムである。１人のユーザーが吊り下げブラケットＢから２つの商品を取り出した場合、吊り下げブラケットＢに対応する重量感知装置は、リアルタイム重量感知値を取得し、重量差計算ユニット４３は、該リアルタイム重量感知値と、該吊り下げブラケットＢの前回のリアルタイム重量値との差値を１６０グラムとして算出し、データ記憶ユニット４１に記憶された吊り下げブラケットＢに対応する商品の単品重量は８０グラムであり、重量マッチングユニット４６は、取り出された商品の数量が２つであることを算出することができる。データ処理機器４は、重量が軽くなったトレーの位置及び軽くなった時間を記録することができ、各ユーザーの買い物行為をリアルタイムに把握することができる。前記買い物行為とは、いつ、どこで、いくつ、どのような種類の商品が取り出されたかを意味する。ユーザー身分識別の技術と組み合わせることで、誰がいつ、どこで、いくつ、どのような種類の商品を取り出したかを確定することができる。それにより、各ユーザーの買い物記録を詳細に記録することができ、ユーザーが買い物エリアを離れたときに、ユーザーのために自動的に精算することができる。
【００４１】
図８に示すように、垂直取付け板２１には取付け板貫通孔２１１が設けられる。取付け板貫通孔２１１は、垂直取付け板２１を貫通し、吊り下げブラケットベース２７に対向して配置される。吊り下げブラケット２８は、吊り棒２８１及びブラケット係合具２８２を含む。吊り棒２８１は、取付け板貫通孔２１１を通過する。吊り棒２８１の一端にブラケット係合具２８２が設けられる。ブラケット係合具２８２は、吊り下げブラケットベース２７に着脱可能に取り付けられる。吊り棒２８１の他端は上向きに曲げられ、屈曲部２８３を形成する。屈曲部２８３と吊り棒２８１は、１２０〜１７０度の夾角を形成する。多くの商品は、外装パッケージ（例えば、袋入り商品）に引っ掛け孔が設けられるため、屈曲部２８３から吊り下げブラケット２８に引っ掛けることができる。屈曲部２８３は上向きに曲げられたため、商品は、落ちずに吊り棒２８１上にスライドすることができる。
【００４２】
ブラケット係合具２８２は、第１係合板２８２１、第２係合板２８２２及び接続板２８２３を含む。第１係合板２８２１は、ブラケット係合溝２７２に挿入することができる。第２係合板２８２２は、第１係合板２８２１に平行で、吊り棒２８１は第２係合板２８２２に垂直に接続される。接続板２８２３の一端は、第１係合板２８２１に接続され、他端は第２係合板２８２２に接続される。ブラケット係合具２８２が吊り下げブラケットベース２７に取り付けられると、第１係合板２８２１はブラケット係合溝２７２に挿入され、第２係合板２８２２の一方の側面は、ベース本体２７１の一方の側面に接するようになる。ブラケット係合溝２７２の深さは、１ｃｍを超え、一般的には、吊り下げブラケットベース２７の厚さの約６０〜９０％であり、それにより、吊り下げブラケット２８が安定した状態で取り付けられるようにする。
【００４３】
図８〜９に示すように、垂直取付け板２１には取付け板係合口２１２が設けられる。取付け板係合口２１２は、垂直取付け板２１２を貫通し、かつ取付け板貫通孔２１１の周りに位置する。
【００４４】
本実施例の吊り下げ式商品棚は、垂直取付け板２１に着脱可能に取り付けられる第２吊り下げブラケット３をさらに含む。第２吊り下げブラケット３は、第２吊り棒３１、第２止め板３２、第２ブラケット係合具３３及び第２止め板貫通孔３４を含む。
【００４５】
第２止め板３２は、第２吊り棒３１の一端に設けられ、取付け板貫通孔２１１に対向して配置される。第２ブラケット係合具３３は、第２止め板３２における取付け板貫通孔２１１に向いている側の表面から突出し、取付け板係合口２１２に着脱可能に係合される。第２止め板貫通孔３４は第２止め板３２を貫通する。第２ブラケット係合具３３が取付け板係合口２１２内に係合されると、第２止め板３２は取付け板貫通孔２１１を遮蔽し、吊り下げブラケット２８の吊り棒２８１は第２止め板貫通孔３４を通過する。
【００４６】
第２吊り棒３１の一端は、第２止め板３２に垂直に接続され、他端は上向きに曲げられ、第２屈曲部３５を形成し、第２吊り棒３１と１２０〜１７０度の夾角を形成する。
【００４７】
図８〜９に示すように、第２吊り下げブラケット３は横棒３６及び標識板３７をさらに含む。横棒３６は、第２吊り棒３１の第２止め板３２から離れた一端、即ち、第２屈曲部３４の末端に垂直に接続される。標識板３７は、横棒３６に回転可能に又は固定的に取り付けられる。標識板３７は、着脱可能に全体として組み立てることができる第１回転板３７１及び第２回転板３７２を含む。第１回転板３７１と第２回転板３７２の組み合わせは、横棒３６の周りで一定の角度回転することができる。第１回転板３７１及び第２回転板３７２は、透明材料からなる。第１回転板３７１と第２回転板３７２との間には、変更可能なラベル３７３が設けられる。ラベル３７３には、商品名称、種類、型番、生産地、単価などの情報が記載されている。
【００４８】
第２吊り下げブラケット３はそれぞれ１つの吊り下げブラケット２８に対応し、一般的に、吊り下げブラケット２８の上方に配置される。標識板３７に商品標識を貼付することができ、それにより、ユーザーは、それに対応する吊り下げブラケット２８に吊り下げられた商品の情報を容易に把握できる。
【００４９】
本実施例では、各棚板２には１つの垂直取付け板２１及び１つの取付けブラケット２４が設けられる。同一の垂直取付け板２１には、複数の取付け板貫通孔２１１（一般的には３〜８個、好ましくは４個又は６個）が設けられ、同一の取付けブラケット２４には、複数の重量感知装置２６が設けられる。各重量感知装置２６の上方に１つの吊り下げブラケットベース２７が設けられる。各吊り下げブラケットベース２７上には、取付け板貫通孔２１１を通過した吊り下げブラケット２８が取り付けられる。各取付け板貫通孔２１１には、１つの第２吊り下げブラケット３が取り付けられる。取付け板貫通孔２１１、重量感知装置２６、吊り下げブラケットベース２７、吊り下げブラケット２８及び第２吊り下げブラケット３は、一対一に対応している。
【００５０】
本実施例では、各吊り下げブラケットには、同じ重量又はほぼ同じ重量の同じ種類の商品が吊り下げられている。ユーザーが商品を取り出されたり戻したりすると、各吊り下げブラケット２８に吊り下げられている商品の総重量が変化し、重量感知装置２６は、各吊り下げブラケット２８での商品のリアルタイムの重量感知値を取得し、データ処理機器は、各吊り下げブラケットでの商品の数量の変化状況を判断する。本実施例で説明されている吊り下げ式商品棚により商品識別を実現する方法及び原理は、以下の説明を参照されたい。
【００５１】
まず、各棚板、各吊り下げブラケットに対してそれぞれブラケット番号を設定する。各吊り下げブラケットには、同じ重量又はほぼ同じ重量の同じ種類の商品が吊り下げられている。これにより、同一の吊り下げブラケットにおけるすべての商品については、重量に応じて種類を区別することができる。各商品に対応する標識情報と商品情報との一対一の対応関係を確立する。商品の商品情報は、この商品の商品名称、商品番号、価格、メーカなどを含む。商品の標識情報は、この商品の重量数値、所属する吊り下げブラケットの番号などを含む。各商品に対応する標識情報、商品情報及び前記対応関係をデータ処理機器４に記憶する。
【００５２】
次に、重量感知装置２６（重量センサー）は同時に作動し、各吊り下げブラケット２８の重量感知値をリアルタイムで収集する。データ収集の時間間隔は０．１〜０．４秒であり、好ましくは０．３秒である。各重量感知装置２６によって収集されたリアルタイムの重量値は、データ処理機器４に送信され、該重量感知装置２６で前回収集されたリアルタイムの重量値と比較された後、データ処理機器４に記憶され、データ更新及び上書きが完了する。
【００５３】
本実施例では、毎回のデータ収集プロセスでは、６つの重量感知装置２６は６つのデータを同時に取得し、データ処理機器４に予め記憶されている６つの以前データをそれぞれ比較する。ここでの６つの以前データは、これらの６つの重力センサーの前回収集した重量値である。比較プロセスでは、各重量感知装置２６で新しく取得されたリアルタイムの重量値と、直前の時点でのリアルタイムの重量値との差を求める。すべての重量差が０である場合、データ処理機器４は他の操作を必要とせずに、この重量感知装置２６によって新たな重量値を収集すればよい。
【００５４】
ある重力センサーに対応する重量差が０未満である場合、この重力センサーに対応する吊り下げブラケットにおいて商品が取り出されたことがあると判断する。データ処理機器４は、この吊り下げブラケットのブラケット番号を取得し、このブラケット番号に基づいて、前記重量差の絶対値を、既知のこの吊り下げブラケット上の各商品の重量値とマッチングして、取り出された商品の種類を判定する。本実施例で採用される重力センサーは正確に測定し、重量値はグラム単位で正確にすることができるが、商品自体の重量に誤差がある可能性があるため、一般的には、重量差の絶対値と商品の重量値の差の範囲が−４グラム〜４グラムである場合、マッチングが成功したとみなされる。それにより、データ処理機器４は、どの商品が取り出されたかを判断することができる。
【００５５】
さらに、本実施例は、携帯電話のショッピングアプリケーションソフトウェア（ＡＰＰ）と組み合わせて、データ処理機器４は無線通信方式（ＷＩＦＩ方式又はセルラー通信方式又はブルートゥース（登録商標）方式）を介して、ユーザーの携帯電話とデータ交換を行い、後の決済のために、このユーザーの携帯電話におけるショッピングソフトウェアのショッピングカートに商品を自動的に追加する。
【００５６】
本発明の有益な効果は次のとおりである。商品を感知できる吊り下げ式商品棚が提供される。この商品棚は、商品重量感知機能を有し、商品棚上の商品のリアルタイムの重量感知値をリアルタイムに監視し、各吊り下げブラケットの重量変化をリアルタイムに感知することができ、データ処理機器と組み合わせることで、商品棚上のすべての吊り下げブラケットの重量変化から、どの商品が取り出されたか、又は戻されたかを推断することができる。各商品の単品の重量値と吊り下げブラケットの番号を組み合わせると、データ処理機器は、取り出されたか又は戻された商品の種類と数量をさらに判断することができる。ユーザーのリアルタイムの位置、及びデータ処理機器に事前に記憶された各商品の吊り下げ位置を組み合わせると、データ処理機器は、商品を取り出したり戻したりしたユーザーの身分をさらに判断することができる。従来の平板式商品棚と比較して、本発明は、同じサイズの空間において、より多くの種類の商品を吊り下げることができ、空間の使用率を向上させ、より小さなサイズの様々な商品に適用されるとともに、ユーザーが商品を簡単かつ迅速に取り出すようにして、ユーザーによりよい体験を提供することができる。
【００５７】
上記は、本発明の好ましい実施形態に過ぎず、当業者が本発明をより明らかに理解し実施するようにするものである。これらの実施形態は本発明の範囲を制限するものではない。当業者は、本発明の原理から逸脱することなく、幾つかの改良や修飾を行うことができる。これらの改良や修飾も本発明の保護範囲とみなされる。
【符号の説明】
【００５８】
１棚支持枠、２棚板、３第２吊り下げブラケット、４データ処理機器；
１１支持枠本体、１２支持枠係合口；
１３第１接続部品、１４第２接続部品、１５接続板；
２１垂直取付け板、２２止め板、２３取付け板キャビティ、２４係合接続装置；
２５取付けブラケット、２６重量感知装置、２７吊り下げブラケットベース、２８吊り下げブラケット；
３１第２吊り棒、３２第２止め板、３３第２ブラケット係合具、３４第２止め板貫通孔；
３５第２屈曲部、３６横棒、３７標識板；
４１データ記憶ユニット、４２重量値更新ユニット、４３重量差計算ユニット、
４４判定ユニット、４５ブラケットマッチングユニット、４６重量マッチングユニット；
２１１取付け板貫通孔、２１２取付け板係合口；
２２１止め板貫通孔、２４１係合爪；２６１導線；
２７１ベース本体、２７２ブラケット係合溝；
２８１吊り棒、２８２ブラケット係合具、２８３屈曲部；
２８２１第１係合板、２８２２第２係合板、２８２３接続板
【図１】
2021511921.tif 000003
【図２】
2021511921.tif 000004
【図３】
2021511921.tif 000005
【図４】
2021511921.tif 000006
【図５】
2021511921.tif 000007
【図６】
2021511921.tif 000008
【図７】
2021511921.tif 000009
【図８】
2021511921.tif 000010
【図９】
2021511921.tif 000011
【国際調査報告】
2021511921.tif 000012
2021511921.tif 000013
2021511921.tif 000014
2021511921.tif 000015
2021511921.tif 000016